(57)【要約】【課題】単一のストレージ装置を複数のサーバで共有して利用する構成において、ストレージ装置内のリソース上でＩ／Ｏの競合を引き起こしているサーバ群の特定を容易にする方法を提供する。【解決手段】特定のストレージ装置内のリソースを利用しているサーバ群を、ストレージ装置とサーバ間のマッピング情報から検索して検出し、そのサーバ郡の性能データのみに絞り込んだＩ／Ｏ競合のレポートを作成する。【効果】ストレージ装置内のリソースにＩ／Ｏ負荷が集中していることの検出および、負荷をかけているサーバの特定を容易に行うことができる。【選択図】  図４
2005062941.tif 000002
【特許請求の範囲】
【請求項１】
コンピュータを用いた性能情報表示方法であって、
前記コンピュータは、予め記憶装置に格納されたストレージ装置の情報と前記ストレージ装置を利用する複数の機器の情報とを読み出し、
前記読み出した情報にもとづいて、前記ストレージ装置の識別子と前記ストレージ装置を利用する複数の機器の識別子とを画面に表示し、
前記表示したストレージ装置の識別子を選択する指示を受け付け、
前記受付けた指示と前記読み出した情報にもとづいて、前記選択されたストレージ装置を利用する複数の機器の性能情報を関連づけて表示することを特徴とする性能情報表示方法。
【請求項２】
ストレージ装置と複数のサーバを含むシステムにおける性能情報分析方法であって、
各サーバ上の各ボリュームに対して性能情報を収集するサーバボリューム性能情報収集ステップと、
各サーバの各ボリュームが利用しているストレージ装置内のリソースの識別子を収集するサーバ−ストレージマッピング情報収集ステップと、
特定ストレージ装置内の特定リソースをキーとして、収集された性能情報から、当該リソースを利用しているサーバボリュームだけを絞り込みその性能情報を出力する絞込みサーバボリューム性能情報出力ステップを有することを特徴とする性能情報分析方法。
【請求項３】
請求項２に記載のサーバ−ストレージマッピング情報収集ステップにおいて、サーバ上のボリュームにＳＣＳＩインクワイアリを発行することによってマッピング情報を取得することを特徴とする性能情報分析方法。
【請求項４】
請求項１に記載のサーバボリューム性能情報収集ステップにおいて、時系列順に性能情報を蓄積し、絞込みサーバボリューム性能情報出力ステップにおいて、絞り込まれたサーバの性能情報を時系列順に出力することを特徴とする性能情報分析方法。
【請求項５】
ストレージ装置を複数のサーバで共用するシステムにおける性能情報の収集および分析を機械処理にて実施する方法において、
ストレージ装置内部の各リソースの性能情報を収集するストレージ性能情報収集ステップと、
各サーバ上の各ボリュームに対して性能情報を収集する、サーバボリューム性能情報収集ステップと、
各サーバの各ボリュームが利用しているストレージ装置内のリソースの識別子を収集するサーバ−ストレージマッピング情報収集ステップと、
ストレージ装置内部の各リソースとその性能情報を表示しストレージ装置内部のリソースをユーザに任意に選択させるストレージリソース選択ステップと、
選択されたストレージ装置内部の特定のリソースをキーとして、収集された性能情報から、当該リソースを利用しているサーバボリュームだけを絞り込みその性能情報を出力する、絞込みサーバボリューム性能情報出力ステップを有することを特徴とする性能情報の収集および分析を機械処理にて実施する方法。
【請求項６】
請求項５に記載のサーバ−ストレージマッピング情報収集ステップにおいて、サーバ上のボリュームにＳＣＳＩインクワイアリを発行することによってマッピング情報を取得することを特徴とする性能情報の収集および分析を機械処理にて実施する方法。
【請求項７】
請求項５に記載のサーバボリューム性能情報収集ステップにおいて、時系列順に性能情報を蓄積し、絞込みサーバボリューム性能情報出力ステップにおいて、絞り込まれたサーバの性能情報を時系列順に出力することを特徴とする性能情報の収集および分析を機械処理にて実施する方法。
【発明の詳細な説明】
【０００１】
【発明の属する技術分野】
本発明は、サーバとストレージ装置の性能情報を表示／分析するシステムに関するものである。
【０００２】
【従来の技術】
近年、ＳＡＮ（Ｓｔｏｒａｇｅ  Ａｒｅａ  Ｎｅｔｗｏｒｋ）技術の発展により、単一のストレージ装置を複数のサーバで共有して利用する構成が増えている。このような構成が増えているのは、バックアップや障害管理などの運用業務の局所化が容易になり、運用管理コストを圧縮することができるからである。
【０００３】
しかしながら一方で、単一のストレージ装置を、複数のサーバで共有することにより、ボリュームの割り当てやストレージの性能管理は複雑になる。ＳＡＮ環境におけるボリューム割り当てを簡易化する方法を開示したものがある（特許文献１参照）。
【０００４】
【特許文献１】
米国特許出願公開第２００３／００５１１１９号
【０００５】
【発明が解決しようとする課題】
コンピュータシステムにおいて、ストレージ装置はＣＰＵ内のキャッシュやメモリと比較すると低速な記憶媒体であるため、しばしばストレージ装置がシステム全体のボトルネックとなることがある。このため、ストレージ装置ができるだけ高い性能を出せるよう、システムの構築フェーズや、運用フェーズで、各種性能指標値を取得し、所定の性能値が得られているかなどを分析することは重要である。
【０００６】
単一のストレージ装置を複数のサーバで共有して利用するような構成では、ストレージ装置内の特定のリソースに対して複数サーバからのＩ／Ｏ処理が重複し、その結果深刻な性能劣化を引き起こす場合がある。
【０００７】
例えば、ストレージ装置内部の特定の物理ディスクグループに複数のサーバからのＩ／Ｏ負荷が集中し、そのＩ／Ｏ競合によって、サーバ側から見たＩ／Ｏ性能が十分に出ないというのがその例である
ストレージ装置が提供しているツールにより、ストレージ装置内の特定のリソースが処理しているＩ．／Ｏ量を閲覧／分析することができる。しかしながら、この方法では、ストレージ装置の外側の設定によって引き起こされるＩ／Ｏ競合性能問題の原因の特定、すなわち具体的にはストレージ装置内の特定のリソースにＩ／Ｏ負荷をかけているサーバ郡や性能のボトルネックとなっている部分を特定することは困難であった。
【０００８】
本発明の目的は、上記の問題を解決し、ストレージ装置内のリソース上でＩ／Ｏの競合を引き起こしているサーバ群や性能のボトルネックとなっている部分の特定を容易にする方法を提供することである。
【０００９】
【課題を解決するための手段】
本発明のコンピュータを用いた性能情報表示方法であって、前記コンピュータは、予め記憶装置に格納されたストレージ装置の情報と前記ストレージ装置を利用する複数の機器の情報とを読み出し、前記読み出した情報にもとづいて、前記ストレージ装置の識別子と前記ストレージ装置を利用する複数の機器の識別子とを画面に表示し、前記表示したストレージ装置の識別子を選択する指示を受け付け、前記受付けた指示と前記読み出した情報にもとづいて、前記選択されたストレージ装置を利用する複数の機器の性能情報を関連づけて表示することを特徴とする。
【００１０】
本発明は、ストレージ装置内部の特定のリソースを起点に、そのリソースに負荷をかけているサーバ群の性能指標値を一挙に表示する方法を提供する。具体的には、本発明を実施した性能管理ツールは、ストレージ装置とサーバ間のマッピング情報とサーバ郡の性能情報を収集する。本性能管理ツールは、ユーザからの指示があると、特定のストレージ装置内のリソースを利用しているサーバ群を、ストレージ装置とサーバ間のマッピング情報から検索して検出し、そのサーバ郡の性能データのみに絞り込んだＩ／Ｏ競合のレポートを作成する。
【００１１】
【発明の実施の形態】
以下に、複数のサーバがストレージ装置を共用しているＳＡＮシステムにおける、本発明の１実施形態について説明する。以下の実施形態におけるＳＡＮシステムの例は、本実施例の説明に不要な機能や詳細を省略しているため、一般的なＳＡＮシステムに比べ単純化されているが、本実施例の適用範囲が制限されるものではない。
【００１２】
図１は本実施形態のＳＡＮシステムの構成を示す図である。本ＳＡＮシステムは、ストレージ装置Ａ：１２０と、サーバＡ：１１０ＡとサーバＢ：１１０Ｂからなるサーバ群と、サーバ群とストレージ装置を接続するＳＡＮ：１４０と、管理サーバ：１３０と、サーバ群およびストレージ装置と管理サーバを接続するＬＡＮ：１５０を含む。サーバは、プログラムが実行されるコンピュータや、コンピュータの機能を用いる端末装置であってもよいし、その他のものでもよい。
【００１３】
サーバ群およびストレージ装置Ａは、それぞれの性能情報を、ＬＡＮ：１５０を経由して、管理サーバ：１３０に送信し、管理サーバ：１３０はその性能情報を内部の２次記憶装置に格納している。
【００１４】
サーバＡ：１１０Ａは、ＨＢＡ：１１４を介して、ＳＡＮ：１４０に接続している。サーバＡ：１１０Ａは、ストレージ装置Ａ：１２０から提供されるボリュームをマウントするボリュームマウント機能：１１１Ａと、マウントされたボリュームを利用して業務処理を行う業務プログラム：１１２Ａと、サーバボリュームの性能情報を収集するサーバ性能情報収集プログラム：１０１を実行している。
【００１５】
サーバＢ：１１０ＢもサーバＡと同様に、ＨＢＡを介してＳＡＮ：１４０に接続しており、ボリュームマウント機能と業務プログラムとサーバ性能情報収集プログラムを実行している。尚、ここではネットワークの一例としてＳＡＮ、ＬＡＮを用いて説明するが、これ以外のもの（ＮＡＳ（Ｎｅｔｗｏｒｋ  Ａｔｔａｃｈｅｄ  Ｓｔｏｒａｇｅ）等）を用いてもよい。
【００１６】
ストレージ装置Ａ：１２０は、ポートＡ：１２３およびポートＢ：１２４を介してＳＡＮ：１４０に接続している。ストレージ装置Ａ：１２０の内部では、ＳＡＮ側にボリュームを提供する、ボリューム提供機能：１２１と、ストレージ装置の性能情報を収集する、ストレージ性能情報収集プログラム：１０２が実行される。
【００１７】
本実施例では、簡単のために、ストレージ装置を１台とし、かつストレージ装置Ａ：１２０が提供しているボリュームを利用しているサーバ群を、サーバＡ：１１０ＡとサーバＢ：１１０Ｂの２台のみとしているが、ストレージ装置台数や、サーバ台数がもっと多い構成においても適用可能である。
【００１８】
管理サーバ：１３０は、２次記憶装置：１６１、主記憶装置：１６２、通信装置：１６３、ＣＰＵ：１６４、表示装置：１６５、キーボード：１６６、マウス：１６７の装置を含む。また、図示を省略したが、ストレージ装置に格納されているデータをサーバが認識するために必要なファイルシステム等の機能も含んでいる。
【００１９】
２次記憶装置：１６１には、サーバ群および、ストレージ装置Ａ：１２０の性能情報を保存する、性能情報リポジトリ：１０３が格納されている。主記憶装置：１６２には、オペレーティングシステム：１６８が格納されている。オペレーティングシステム：１６８の内部では、性能情報リポジトリ：１０３に蓄積された性能情報を分析し、表示装置１６５に表示する、性能情報分析プログラム：１０４が実行される。
【００２０】
図２は、ストレージ装置Ａ：１２０のボリューム提供機能と、サーバ群のボリュームのマウント機能について説明した図である。
【００２１】
まず、ボリューム提供機能について説明する。本実施例における、ボリューム提供機能１２０は、ストレージ装置Ａ：１２０内の物理ディスク群の可用性を、ＲＡＩＤ（Ｒｅｄｕｎｄａｎｔ  Ａｒｒａｙ  ｏｆ  Ｉｎｄｅｐｅｎｄｅｎｔ  Ｄｉｓｋｓ）の構成にすることによって高め、ＲＡＩＤ構成された仮想的なディスクであるＲＡＩＤグループを上位のサーバから使いやすい大きさにスライスし、スライスされた結果である論理ボリュームがポートを介してＳＡＮ側から使えるようにする機能を提供している。このように、複数のディスクを組み合わせることで、ディスクアクセスの高速化を図ることや、ディスクの故障などに対する耐障害性を高めることが可能となる。
【００２２】
具体的には、本実施例におけるストレージ装置Ａ：１２０は、８個の物理ディスク、すなわち物理ディスクＡ：２４０Ａと、物理ディスクＢ：２４０Ｂと、物理ディスクＣ：２４０Ｃと、物理ディスクＤ：２４０Ｄと、物理ディスクＥ：２４０Ｅと、物理ディスクＦ：２４０Ｆと、物理ディスクＧ：２４０Ｇと、物理ディスクＨ：２４０Ｈを保持している。本実施例では、ボリューム提供機能：１２１はこれらの物理ディスクを用いて、二つのＲＡＩＤグループＡ：２３０ＡとＲＡＩＤグループＢ：２３０Ｂを作成している。
【００２３】
ＲＡＩＤグループとは、ＲＡＩＤ構成を組んでいる複数の物理ディスク群を、一つの仮想的なディスクとみなした単位である。
【００２４】
また、本実施例では、ボリューム提供機能：１２１は、作成したＲＡＩＤグループを論理的にスライスし、上位のサーバから利用可能なボリュームとして、６つの論理ボリュームを作成している。すなわち、ＲＡＩＤグループＡ：２３０Ａから論理ボリュームＡ：２２０Ａと、論理ボリュームＢ：２２０Ｂと、論理ボリュームＣ：２２０Ｃを作成し、ＲＡＩＤグループＢ：２３０Ｂから論理ボリュームＤ：２２０Ｄと、論理ボリュームＥ：２２０Ｅと、論理ボリュームＦ：２２０Ｆを作成している。また、ボリューム提供機能：１２１は、論理ボリュームをポートに公開し、ＳＡＮ：１４０側からアクセス可能にしている。
【００２５】
例えば、ポートＡを経由して、論理ボリュームＡにサーバからのＩ／Ｏ要求があった場合は、ボリューム提供機能：１２１によって、そのＩ／Ｏ要求は、ＲＡＩＤグループＡ内の対応するスライス部分へのＩ／Ｏ要求に一旦変換され、さらに、ボリューム提供機能：１２１によって、当該ＲＡＩＤグループＡを物理的に構成している、物理ディスクＡ：２４０Ａから物理ディスクＤ：２４０ＤにまたがったＩ／Ｏ要求に変換され、処理される。
【００２６】
次に、ボリュームマウント機能について説明する。サーバＡ：１１０Ａのボリュームマウント機能：１１１Ａは、ストレージ装置Ａ：１２０から、ＳＡＮ１４０側に公開されているボリュームを、サーバＡ：１１０Ａ内にマウントし、業務プログラム：１１２Ａから利用できるようにしている。またサーバＢ：１１０Ｂについても同様である。通常この種のボリュームマウント機能は、オペレーティングシステムの一部として提供される。
【００２７】
最後に本実施例における、サーバ側ボリュームと、ストレージ側論理ボリュームの相関関係について説明する。本実施例では、サーバＡ：１１０ＡはボリュームＡ：２１０ＡとボリュームＢ：２１０Ｂの２つのボリュームを、ストレージ装置Ａ：１２０からマウントして利用しており、これらのボリュームはそれぞれ、ストレージ装置Ａ：１２０内の論理ボリュームＡ：２２０Ａと、論理ボリュームＢ：２２０Ｂに対応している。
【００２８】
また、サーバＢ：１１０Ｂは、ボリュームＣ：２１０Ｃをストレージ装置Ａ：１２０からマウントして利用しており、このボリュームは、ストレージ装置Ａ：１２０内の論理ボリュームＣ：２２０Ｃに対応している。論理ボリュームＡ、Ｂ、Ｃはいずれも、ＲＡＩＤグループＡ：２３０Ａからスライスされた論理ボリュームであるため、本実施例ではサーバＡとサーバＢのＩ／Ｏ負荷は同一のＲＡＩＤグループＡの負荷となっており、Ｉ／Ｏが物理競合しうる状況であるといえる。
【００２９】
図３は、管理サーバ：１３０の２次記憶装置：１６１に格納された、性能情報リポジトリ：１０３の内部構造を説明した図である。性能情報リポジトリ：１０３は、４つのテーブルから構成される。サーバ性能情報テーブル：３１０は、サーバ群のボリュームに対する性能情報を格納したテーブルである。サーバ−ストレージマッピングテーブル：３２０は、サーバのボリュームとストレージ装置のポート、論理ボリューム、ＲＡＩＤグループとのマッピング情報を格納したテーブルである。ストレージＲＡＩＤグループ性能情報テーブル：３３０はストレージ装置のＲＡＩＤグループの性能情報を格納したテーブルである。ストレージポート性能情報テーブル：３４０は、ストレージ装置のポートの性能情報を格納したテーブルである。
【００３０】
図４は、性能情報収集プログラム：１０１と、性能情報分析プログラム：１０４の連携方法を説明した図である。
先に述べたように、サーバＡ：１１０ＡとサーバＢ：１１０Ｂ上では、サーバ性能情報収集プログラム：１０１が稼動している。サーバ性能情報収集プログラム：１０１は、サーバ上のボリュームの性能情報を収集し、性能情報リポジトリ：１０３上の、サーバ性能情報テーブル：３１０とサーバ−ストレージマッピングテーブル：３２０にレコードを追加する。
【００３１】
ストレージ装置Ａ：１２０では、ストレージ性能情報収集プログラム：１０２が稼動している。ストレージ性能情報収集プログラム：１０２は、ストレージ装置のポートおよびＲＡＩＤグループの性能情報を収集し、性能情報リポジトリ：１０３上のストレージＲＡＩＤグループ性能情報テーブル：３３０と、ストレージポート性能情報テーブル：３４０にレコードを追加する。
【００３２】
管理サーバ：１３０上では、性能情報分析プログラム：１０４が稼動しており、ユーザからの要求に応じて、性能情報リポジトリ：１０３上の性能情報データを取得、分析し、結果を表示装置：１６５に表示する。
【００３３】
図５は、サーバ性能情報テーブル：３１０に格納されるデータ項目を詳細に説明した図である。本テーブルは、各サーバ上の各ボリュームのＩ／Ｏ性能情報を格納したテーブルであり、サーバ性能情報収集プログラム：１０１によりレコードが追加されるテーブルである。本実施例では、本テーブルはまず、サーバとボリュームを一意に識別するためのカラムである、サーバカラム：５１１とボリュームカラム：５１２をもつ。
【００３４】
次に、各々のボリュームの毎秒あたりＩＯ回数、読み込みＩＯ回数、書き込みＩＯ回数を表す、ＩＯＰＳ（ＩＯ  ｐｅｒ  Ｓｅｃｏｎｄ）カラム：５１３と、Ｒｅａｄ  ＩＯＰＳ（ＩＯ  ｐｅｒ  Ｓｅｃｏｎｄ）カラム：５１４と、Ｗｒｉｔｅ  ＩＯＰＳ（ＩＯ  ｐｅｒ  Ｓｅｃｏｎｄ）カラム：５１５をもつ。
【００３５】
また次に、各々のボリュームの毎秒あたり転送データ量、読み込み転送データ量、書き込み転送データ量を表す、Ｘｆｅｒ（Ｔｒａｎｓｆｅｒ）  カラム：５１６と、Ｒｅａｄ  Ｘｆｅｒ（Ｔｒａｎｓｆｅｒ）カラム：５１７と、Ｗｒｉｔｅ  Ｘｆｅｒ（Ｔｒａｎｓｆｅｒ）カラム：５１８をもち、最後に、その性能情報が観測された時刻である、ＴＳカラム：５１９をもつ。
【００３６】
図６は、サーバ−ストレージマッピングテーブル：３２０に格納されるデータ項目を詳細に説明した図である。本テーブルは、各サーバの各ボリュームが、ストレージ装置のどのポートを経由して、どの論理ボリュームおよび、どのＲＡＩＤグループに対応しているかを格納したテーブルであり、サーバ性能情報収集プログラム：１０１によりレコードが追加されるテーブルである。
【００３７】
本実施例では、本テーブルはまず、サーバとボリュームを一意に識別するためのカラムである、サーバカラム：６１１とボリュームカラム：６１２をもち、また各々のボリュームがどのストレージ装置、ポート、論理ボリューム、ＲＡＩＤグループを利用しているかを表す、ストレージカラム：６１３と、ポートカラム：６１４と、論理ボリュームカラム：６１５と、ＲＡＩＤグループカラム：６１６をもつ。
【００３８】
本実施例では、サーバ−ストレージマッピングテーブル：３２０には、最新のマッピング情報のみを持つことを想定しているが、マッピング情報の取得時刻カラムを本テーブルに追加し、マッピング情報の過去履歴情報を持つようにすることによって、過去のマッピング情報に基づいて、関連サーバ群を絞り込むレポートを作成するようにすることも可能である。
【００３９】
図７は、ストレージＲＡＩＤグループ性能情報テーブル：３３０に格納されるデータ項目を詳細に説明した図である。本テーブルは、各ストレージ装置の各ＲＡＩＤグループのＩ／Ｏ性能情報を格納したテーブルであり、ストレージ性能情報収集プログラム：１０２によりレコードが追加されるテーブルである。本実施例では、本テーブルはまず、ストレージ装置上のＲＡＩＤグループを一意に識別するためのカラムである、ストレージカラム：７１１とＲＡＩＤグループカラム：７１２をもち、次に、各々のＲＡＩＤグループの毎秒あたりＩＯ回数、読み込みＩＯ回数、書き込みＩＯ回数を表す、ＩＯＰＳ（ＩＯ  ｐｅｒ  Ｓｅｃｏｎｄ）カラム：７１３と、Ｒｅａｄ  ＩＯＰＳ（ＩＯ  ｐｅｒ  Ｓｅｃｏｎｄ）カラム：７１４と、Ｗｒｉｔｅ  ＩＯＰＳ（ＩＯ  ｐｅｒ  Ｓｅｃｏｎｄ）カラム：７１５をもつ。
【００４０】
また次に、各々のＲＡＩＤグループの毎秒あたり転送データ量、読み込み転送データ量、書き込み転送データ量を表す、Ｘｆｅｒ（Ｔｒａｎｓｆｅｒ）  カラム：７１６と、Ｒｅａｄ  Ｘｆｅｒ（Ｔｒａｎｓｆｅｒ）カラム：７１７と、Ｗｒｉｔｅ  Ｘｆｅｒ（Ｔｒａｎｓｆｅｒ）カラム：７１８をもち、最後に、その性能情報が観測された時刻である、ＴＳカラム：７１９をもつ。
【００４１】
図８は、ストレージポート性能情報テーブル：３４０に格納されるデータ項目を詳細に説明した図である。本テーブルは、各ストレージ装置の各ポートのＩ／Ｏ性能情報を格納したテーブルであり、ストレージ性能情報収集プログラム：１０２によりレコードが追加されるテーブルである。
【００４２】
本実施例では、本テーブルはまず、ストレージ装置上のポートを一意に識別するためのカラムである、ストレージカラム：８１１とポートカラム：８１２をもち、次に、各々のポートの毎秒あたりＩＯ回数、最大ＩＯ回数、最小ＩＯ回数を表す、ＩＯＰＳ（ＩＯ  ｐｅｒ  Ｓｅｃｏｎｄ）カラム：８１３と、Ｍａｘ  ＩＯＰＳ（ＩＯ  ｐｅｒ  Ｓｅｃｏｎｄ）カラム：８１４と、Ｍｉｎ  ＩＯＰＳ（ＩＯ  ｐｅｒ  Ｓｅｃｏｎｄ）カラム：８１５をもち、また次に、各々のポートの毎秒あたり転送データ量、最大転送データ量、最小転送データ量を表す、Ｘｆｅｒ（Ｔｒａｎｓｆｅｒ）  カラム：８１６と、Ｒｅａｄ  Ｘｆｅｒ（Ｔｒａｎｓｆｅｒ）カラム：８１７と、Ｗｒｉｔｅ  Ｘｆｅｒ（Ｔｒａｎｓｆｅｒ）カラム：８１８をもち、最後に、その性能情報が観測された時刻である、ＴＳカラム：８１９をもつ。
【００４３】
図９は、ＳＣＳＩインクワイアリレスポンス情報を説明した図である。ＳＣＳＩインクワイアリ（Ｉｎｑｕｉｒｙ）は、サーバ上から各々のボリュームに対して発行することができる。発行されたＳＣＳＩインクワイアリはＳＡＮを経由してストレージ装置に伝達され、ストレージ装置はその応答としてサーバ側に本図で示したＳＣＳＩインクワイアリレスポンス情報を返す。
【００４４】
本実施例では、サーバ性能情報収集プログラム：１０１の内部で、各々のサーバ上のボリュームに対してＳＣＳＩインクワイアリを発行し、返されたＳＣＳＩインクワイアリレスポンス情報を利用して、接続先のストレージ装置側の情報を取得している。また本実施例では、ＳＣＳＩインクワイアリレスポンス情報は、接続先のストレージ装置名、ポート名、論理ボリューム名、ＲＡＩＤグループ名を、接続先ストレージカラム：９１１と、接続先ポートカラム：９１２と、接続先論理ボリュームカラム：９１３と、接続先ＲＡＩＤグループカラム：９１４に保持している。
【００４５】
尚、ここでは一例としてＳＣＳＩのコマンドを用いて各種情報を収集する例を示したが、これ以外の方法で情報を収集してもよい。
【００４６】
図１０は、サーバ性能情報収集プログラム：１０１の処理を説明したフローチャートである。サーバ性能情報収集プログラム：１０１は、本プログラムが稼動するサーバ上の全てのボリュームに対して、性能情報と、接続先のストレージ装置情報を取得し、性能情報リポジトリ１０３にレコードを追加するプログラムである。
【００４７】
ステップ１００１では、サーバ内の全てのボリューム毎に繰り返し処理を行うための初期化処理を行う。
【００４８】
ステップ１００２では、当該ボリュームの性能情報取得をＯＳに依頼し、その結果を取得する。本実施例では、一例としてボリューム毎に、毎秒あたりＩＯ回数、読み込みＩＯ回数、書き込みＩＯ回数、毎秒あたり転送データ量、読み込み転送データ量、書き込み転送データ量を取得している。
【００４９】
ステップ１００３では、前記ステップにて取得した、当該ボリュームの性能情報を、タイムスタンプとともに、サーバ性能情報テーブル：３１０に追加する。
【００５０】
ステップ１００４では、当該ボリュームに対して、ＳＣＳＩインクワイアリを発行し、ＳＣＳＩインクワイアリ情報：９１０を取得する。また、取得したＳＣＳＩインクワイアリ情報：９１０から、当該ボリュームが利用している、ストレージ装置、ポート、論理ボリューム、ＲＡＩＤグループ情報を抜き出す。
【００５１】
ステップ１００５では、前記ステップで取得した当該ボリュームの接続先情報を、サーバストレージマッピングテーブル：３２０に追加する。もし既に当該ボリュームのマッピング情報が存在している場合は、削除してから追加する。
【００５２】
ステップ１００６では、当該ボリュームが、サーバ上の最後のボリュームかどうかをチェックし、もし最後のボリュームであれば処理を終了する。まだ残りのボリュームがある場合は、ステップ１００２に戻る。
【００５３】
図１１は、ストレージ性能情報収集プログラム：１０１の処理を説明したフローチャートである。ストレージ性能情報収集プログラム：１０１は、本プログラムが稼動するストレージ装置上の全てのポートおよびＲＡＩＤグループの性能情報を取得し、性能情報リポジトリ：１０３にレコードを追加するプログラムである。
【００５４】
ステップ１１０１では、ストレージ装置内の全てのポート毎に繰り返し処理を行うための初期化処理を行う。
【００５５】
ステップ１１０２では、当該ポート性能情報の取得をストレージ装置に依頼し、その結果を取得する。本実施例では、一例としてポート毎に、毎秒あたりＩＯ回数、最大ＩＯ回数、最小ＩＯ回数、毎秒あたり転送データ量、最大転送データ量、最小転送データ量を取得している。
【００５６】
ステップ１１０３では、前記ステップで取得した、当該ポートの性能情報を、タイムスタンプとともに、ストレージポート性能情報テーブル：３４０に追加する。
【００５７】
ステップ１１０４では、当該ポートがストレージ装置上の最後のポートかどうかをチェックし、もし最後のポートであれば、ステップ１１０５に進む。まだ残りのポートがある場合は、ステップ１１０２に戻る。
【００５８】
ステップ１１０５では、ストレージ装置内の全てのＲＡＩＤグループ毎に繰り返し処理を行うための初期化処理を行う。
【００５９】
ステップ１１０６では、当該ＲＡＩＤグループの性能情報の取得をストレージ装置に依頼し、その結果を取得する。本実施例では、一例としてＲＡＩＤグループ毎に毎秒あたりＩＯ回数、読み込みＩＯ回数、書き込みＩＯ回数、毎秒あたり転送データ量、読み込み転送データ量、書き込み転送データ量を取得している。
【００６０】
ステップ１１０７では、前記ステップで取得した、当該ＲＡＩＤグループ性能情報を、タイムスタンプとともに、ストレージＲＡＩＤグループ性能テーブル：３３０に追加する。
【００６１】
ステップ１１０８では、当該ＲＡＩＤグループがストレージ装置上の最後のＲＡＩＤグループかどうかをチェックし、もし最後のＲＡＩＤグループであれば、処理を終了する。まだ、残りのＲＡＩＤグループがある場合は、ステップ１１０６に戻る。
【００６２】
図１２は性能情報分析プログラム：１０４の内部構造と、本プログラムが出力する画面の概要について説明した図である。
【００６３】
性能情報分析プログラム：１０４は、内部で３つのサブプログラムを持つ。ストレージ性能情報表示サブプログラム：１２０１と、関連サーバ性能情報表示サブプログラム：１２０２と、関連サーバ性能履歴情報表示サブプログラム：１２０３である。
【００６４】
ストレージ性能情報表示サブプログラム：１２０１は、ストレージ性能情報画面：１２１０を表示することによって、ストレージ装置内のポートとＲＡＩＤグループの性能情報をユーザに提供するプログラムである。
【００６５】
関連サーバ性能情報表示サブプログラム：１２０２は、関連サーバ性能情報画面：１２２０を表示することによって、ある特定のストレージ側のポートもしくはＲＡＩＤグループリソースを利用するサーバ側のボリュームのみに絞り込んで、複数のサーバ側ボリュームの性能情報を表示するプログラムである。
【００６６】
関連サーバ性能情報表示画面：１２２０は、ストレージ性能情報表示画面：１２１０よりユーザ要求に応じて起動される。関連サーバ性能情報表示画面：１２２０を見ることにより、ユーザは、特定のストレージ装置内のリソースに負荷をかけているサーバを特定することが容易になり、かつ、そのサーバ群の性能情報を一挙に閲覧することによって、どのサーバが特にそのリソースに負荷をかけているかを特定することができる。
【００６７】
関連サーバ性能履歴情報表示サブプログラム：１２０３は、関連サーバ性能履歴情報画面：１２３０を表示することによって、特定のストレージ装置内のリソースを利用しているサーバ群の性能履歴情報を、性能情報が観測された時刻順に、時系列に表示するプログラムである。関連サーバ性能履歴情報画面：１２３０は、関連サーバ性能情報画面：１２２０よりユーザ要求に応じて起動される。
【００６８】
図１３は、ストレージ性能情報画面：１２１０の一実施例を説明した図である。本画面は、ストレージオブジェクト選択領域：１３１０と、性能表示日時入力領域：１３２０と、選択オブジェクト性能情報表示領域：１３３０と、関連サーバ性能表示ボタン：１３４０を持つ。
【００６９】
本実施例では、ストレージ性能情報画面：１２１０に、ストレージ装置とストレージ装置内部のリソースをツリー状に表示している。具体的に本図では、ツリーの親ノードとして、ストレージ装置Ａノード：１３１１が表示され、その子ノードとしてＲＡＩＤグループとポートが、ＲＡＩＤグループＡノード：１３１２、ＲＡＩＤグループＢノード：１３１３、ポートＡノード：１３１４、ポートＢノード：１３１５のように表示される。ユーザは、本ストレージオブジェクト選択領域にて、いずれかの子ノードを選択することができ、選択したオブジェクトに関する性能情報が、選択オブジェクト性能情報表示領域：１３３０に表示される。
【００７０】
本実施例では、性能分析の対象とするストレージ内部のリソース種別をＲＡＩＤグループと、ポートの２種類としているが、本実施例はストレージ装置内のキャッシュメモリなどのその他のリソースに対しても同様に実施可能であり、その適用を制限するものではない。
【００７１】
性能表示日時入力領域：１３２０は、表示したい性能情報が観測された時刻をユーザが入力する領域である。この領域に入力された日時における、性能情報が性能情報リポジトリから検索され、選択オブジェクト性能情報表示領域：１３３０に表示される。尚、性能情報を表示するための日時の指定については、プログラムで予め現在時刻を表示するように指定してもよいし、ユーザから受付けたデータに応じて一定期間内の性能情報を時系列順に表示してもよいし、その他のものでもよい。
【００７２】
選択オブジェクト性能情報表示領域：１３３０は、ストレージオブジェクト選択領域：１３１０で選択されたオブジェクトについての性能情報を、性能表示日時入力領域に入力された日時について表示する領域である。
【００７３】
図１３は、ストレージオブジェクト選択領域にて、ＲＡＩＤグループＡノード：１３１２が選択され、かつ、性能表示日時として、２００３年７月１９日午前１０時が入力されたことを想定した図になっている。このため、選択オブジェクト性能情報表示領域：１３３０には、ＲＡＩＤグループＡの２００３年７月１９日午前１０時の性能情報が表示されている。具体的には、選択されたリソース名すなわち「ＲＡＩＤグループＡ」が選択オブジェクト表示領域１３３７に表示され、また、ＲＡＩＤグループＡの２００３年７月１９日午前１０時における性能情報が、ＩＯＰＳ（ＩＯ  ｐｅｒ  Ｓｅｃｏｎｄ）カラム：１３３１、Ｒｅａｄ  ＩＯＰＳ（ＩＯ  ｐｅｒ  Ｓｅｃｏｎｄ）カラム：１３３２、Ｗｒｉｔｅ  ＩＯＰＳ（ＩＯ  ｐｅｒ  Ｓｅｃｏｎｄ）カラム：１３３３、Ｘｆｅｒ（Ｔｒａｎｓｆｅｒ）カラム：１３３４、Ｒｅａｄ  Ｘｆｅｒ（Ｔｒａｎｓｆｅｒ）カラム：１３３５、Ｗｒｉｔｅ  Ｘｆｅｒ（Ｔｒａｎｓｆｅｒ）カラム：１３３６に表示されている。
【００７４】
関連サーバ性能表示ボタン：１３４０は、関連サーバ性能情報画面：１２２０の表示を要求するためのボタンである。本ボタンを押すことにより、ストレージオブジェクト選択領域：１３１０で選択されたオブジェクトを利用する、サーバ側のボリュームの性能情報を表示するための、関連サーバ性能情報画面：１２２０を表示することができる。本ボタンは、内部では、関連サーバ性能情報表示サブプログラム：１２０２を起動する。
【００７５】
図１４は、関連サーバ性能情報画面：１２２０の一実施例を説明した図である。本画面は、特定のＲＡＩＤグループもしくはポートを利用するサーバとボリュームの一覧と、その性能情報を表示する画面である。ユーザは本画面を見ることにより、特定のＲＡＩＤグループもしくはポートに負荷をかけている、サーバおよびボリュームを特定することができる。
【００７６】
関連サーバ性能情報画面：１２２０は、関連サーバ性能情報表示領域：１４１０と履歴情報表示ボタン：１４２０を持つ。
関連サーバ性能情報表示領域：１４１０は、関連サーバとボリュームの一覧および、その性能情報を表示する領域である。本実施例では、当該ＲＡＩＤグループもしくはポートを利用する、サーバとボリュームを特定するための、サーバカラム：１４２１と、ボリュームカラム：１４２２をもつ。また、本実施例では、本領域にそのボリュームの性能情報として、ＩＯＰＳ（ＩＯ  ｐｅｒ  Ｓｅｃｏｎｄ）カラム：１４２３、Ｗｒｉｔｅ  ＩＯＰＳ（ＩＯ  ｐｅｒ  Ｓｅｃｏｎｄ）カラム：１４２４、Ｒｅａｄ  ＩＯＰＳ（ＩＯ  ｐｅｒ  Ｓｅｃｏｎｄ）カラム：１４２５、Ｘｆｅｒ（Ｔｒａｎｓｆｅｒ）カラム：１４２６、Ｒｅａｄ  Ｘｆｅｒ（Ｔｒａｎｓｆｅｒ）カラム：１４２７、Ｗｒｉｔｅ  Ｘｆｅｒ（Ｔｒａｎｓｆｅｒ）カラム：１４２８を表示している。
【００７７】
履歴情報表示ボタン：１４２０は、関連サーバ性能履歴情報画面：１２３０の表示を要求するためのボタンである。本ボタンを押すことにより、関連サーバ群の性能情報をヒストリカルに表示するための、関連サーバ性能履歴情報画面：１２３０を表示することができる。本ボタンは、内部では、関連サーバ性能履歴情報表示サブプログラム：１２０３を起動する。
【００７８】
図１５は、関連サーバ性能履歴情報画面の一実施例を説明した図である。本画面は、関連サーバ群の性能情報をヒストリカルに表示する。本画面は、関連サーバ性能履歴情報表示領域：１５１０をもつ。関連サーバ性能履歴情報表示領域：１５１０には、図１５に図示したように折れ線グラフ等によって、関連サーバのヒストリカルな性能情報を表示する。
【００７９】
尚、図１５では一例として、グラフの横軸に時間を示し、グラフの縦軸に性能情報を示している。また、サーバＡのボリュームＡの性能履歴データとサーバＢのボリュームＣの性能履歴データとを折れ線グラフによって重ね合わせて表示し、それぞれにサーバ名とボリューム名を付加しているが、これは一例であり、サーバ以外の性能情報を表示してもよい。
【００８０】
たとえば、論理ボリュームごとに１画面で性能情報を表示してもよい。また、各サーバが認識するボリュームが同じＲＡＩＤグループを利用している場合には、ＲＡＩＤグループ毎にウインドウで表示してもよいし、その他の表示方法でもよい。
【００８１】
また、１つのウインドウを複数に区切り、ウインドウの左側に図１３の１３１０のようにツリー構造で各種機器を表示し、１３１０で示されたツリー構造の構成要素のいずれかをユーザが選択したときに、当該ユーザの選択に基づいてウインドウの右側に関連する機器の性能履歴情報表示（例えば、図１５）を行ってもよい。
【００８２】
また、ユーザから指定されたストレージ機器を共有する装置の情報を同じ座標軸のグラフを用いて重ね合わせて表示したり、指定されたストレージ機器の性能情報と該指定されたストレージ機器を利用する装置の中で負荷の高い装置の上位３つの性能情報とを対応づけて表示したりしてもよいし、その他の表示方法でもよい。尚、複数の性能情報を表示する際には、複数の性能情報の中で値の低い順に重なるように１つのウインドウに表示してもよいし、予め指定された順序に従って１つのウインドウに表示してもよいし、複数のウインドウを上下又は左右に対応づけて並べて表示してもよい
このように、機器やコンピュータの性能を単体で見せるのではなく、サーバからストレージ装置に至るまでの経路上における関連する機器の性能情報や、ストレージ装置を共有する機器の性能情報等と対応づけて表示することにより、複雑なシステム環境においても性能のボトルネックとなる部分を判別しやすくできる。
【００８３】
また、ユーザからの指定に応じて、多数の性能情報の中から、関連ある機器の性能情報を絞り込んで表示することも可能となり、人間にとって性能情報が理解しやすくなる。
【００８４】
図１６は、ストレージ性能情報表示サブプログラム：１２０１の処理を説明したフローチャートである。本プログラムは、ストレージ性能情報画面：１２１０の表示を行うプログラムである。
【００８５】
本プログラムは大きく２つの処理に分かれており、ステップ１６０１からステップ１６０３はストレージオブジェクト選択領域：１３１０を描画する処理であり、ステップ１６０４から終了処理までは、選択オブジェクト性能情報表示領域：１３３０を描画する処理となっている。
【００８６】
ステップ１６０１では、ストレージＲＡＩＤグループ性能情報テーブル：３３０を走査し、全てのＲＡＩＤグループと、そのＲＡＩＤグループが属するストレージ装置の組のリストを取得する。
【００８７】
ステップ１６０２では、ストレージポート性能情報テーブル：３４０を走査し、全てのポートと、そのポートが属するストレージ装置の組のリストを取得する。
【００８８】
ステップ１６０３では、前記ステップ１６０１とステップ１６０２にて取得したストレージ装置と組になったＲＡＩＤグループとポートのリストを元に、ストレージオブジェクト選択領域：１３１０に、全てのストレージ装置と、ＲＡＩＤグループおよびポートを描画する。
【００８９】
ステップ１６０４では、性能表示日時入力領域：１３２０に入力された日時情報を取得する。
【００９０】
ステップ１６０５では、ストレージオブジェクト選択領域：１３１０にて選択されたオブジェクトの名前を取得する。たとえば、ＲＡＩＤグループの識別子、ポート名、その他ストレージ関連機器の名前や識別子等の指定を受付ける。
【００９１】
ステップ１６０７では、前記ステップで取得したストレージオブジェクトの名前から、そのオブジェクトがＲＡＩＤグループであるか、ポートであるか判断する。ＲＡＩＤグループである場合は、ステップ１６０８へ進み、ポートである場合はステップ１６１０へ進む。
【００９２】
ステップ１６０８では、ステップ１６０５で取得したオブジェクト名とステップ１６０４で取得した日時をキーとして、ストレージＲＡＩＤグループ性能情報テーブル３３０を検索し、選択されたＲＡＩＤグループの、指定された日時における性能情報を取得する。
【００９３】
ステップ１６０９では、前記ステップで取得したＲＡＩＤグループの性能情報を、選択オブジェクト性能情報表示領域：１３３０に描画する。
【００９４】
ステップ１６１０では、ステップ１６０５で取得したオブジェクト名とステップ１６０４で取得した日時をキーとして、ストレージポート性能情報テーブル３４０を検索し、選択されたポートの、指定された日時における性能情報を取得する。
【００９５】
ステップ１６０９では、前記ステップで取得したポートの性能情報を、選択オブジェクト性能情報表示領域：１３３０に描画する。
【００９６】
図１７は、関連サーバ性能情報表示サブプログラム：１２０２の処理を説明したフローチャートである。本プログラムは、ストレージ性能情報画面：１２１０上でユーザが関連サーバ性能表示ボタン：１３４０を押した場合に実行され、関連サーバ性能情報画面：１２２０を描画するプログラムである。
【００９７】
ステップ１７０１では、性能表示日時入力領域：１３２０に入力された日時情報を取得する。
【００９８】
ステップ１７０２では、ストレージオブジェクト選択領域：１３１０にて選択されたオブジェクトの名前を取得する。
ステップ１７０２では、前記ステップで取得したストレージオブジェクトの名前から、そのオブジェクトがＲＡＩＤグループであるか、ポートであるか判断する。ＲＡＩＤグループである場合は、ステップ１７０４へ進み、ポートである場合はステップ１７０５へ進む。
【００９９】
ステップ１７０４では、サーバ−ストレージマッピングテーブル３２０を、ステップ１７０２で取得したオブジェクト名をＲＡＩＤグループカラムのキーとして検索し、当該ＲＡＩＤグループを利用しているサーバのボリューム一覧を取得する。
【０１００】
ステップ１７０５では、サーバ−ストレージマッピングテーブル３２０を、ステップ１７０２で取得したオブジェクト名をポートカラムのキーとして検索し、当該ポートを利用しているサーバのボリューム一覧を取得する。
【０１０１】
ステップ１７０６では、サーバ性能情報テーブル：３１０を、ステップ１７０１で取得した日時と、ステップ１７０４もしくは、ステップ１７０５で得られたサーバのボリューム一覧をキーとして検索し、当該ＲＡＩＤグループもしくは当該ポートを利用しているサーバ側のボリューム群の性能情報を取得する。
【０１０２】
ステップ１７０７では、前記ステップで取得した、関連サーバの性能情報を、関連サーバ性能情報表示領域：１４１０に描画する。
【０１０３】
図１８は、関連サーバ性能履歴情報表示サブプログラム：１２０３の処理を説明したフローチャートである。本プログラムは、関連サーバ性能情報画面：１２２０上でユーザが履歴情報表示ボタン：１４２０を押した場合に実行され、関連サーバ性能履歴情報画面：１２３０を描画するプログラムである。
【０１０４】
ステップ１８０１では、関連サーバ性能情報領域：１４１０に表示されている、サーバサイドのボリュームのリストを取得する。
【０１０５】
ステップ１８０２では、前記ステップにて取得した、サーバサイドのボリュームのリストをキーとして、サーバ性能情報テーブル：３１０を検索し、ボリューム群のヒストリカル性能データを取得する。
【０１０６】
ステップ１８０３では、履歴関連サーバ性能情報画面：１２３０を作成し、前記ステップで取得した、関連ボリュームのヒストリカル性能データを、関連サーバ性能履歴情報表示領域：１５１０に描画する。
【０１０７】
上述した処理や表示の遷移は一例であり、別な画面遷移を行ってもよい。たとえば、ユーザが図１３の画面で、ＲＡＩＤグループＡ：１３１２をマウスポインタ等で指定した場合に、ＲＡＩＤグループＡを利用している複数のサーバの負荷情報をグラフで重ね合わせたもの（例えば、図１５）を表示してもよい。また、ポートを指定し、指定されたポート情報に基づいて当該ポートを利用するサーバの負荷情報を表示してもよいし、当該ポートを利用する経路情報と当該経路上にあるストレージ装置を対応付けて（例えば、「サーバ−ボリューム名−スイッチ（Ｉ／Ｏポート）−論理ボリューム−ＲＡＩＤグループ−物理ディスク」）、ストレージ装置各々に関連する情報を表示してもよいし、その他の表示を行ってもよい。
【０１０８】
また、あるサーバのＩ／Ｏ性能が劣化したことを検出した場合に、性能が劣化したサーバを基点として、当該サーバが利用しているポートの性能情報と当該ポートを利用しているサーバの情報を表示してもよい。また、当該サーバが利用している論理ボリュームやＲＡＩＤグループを調べ、当該論理ボリュームやＲＡＩＤグループを共有して利用している他のサーバの性能情報を表示してもよい。
【０１０９】
上述したように、ストレージリソース競合状況検出方法によれば、ストレージ装置内部の特定のリソースを起点に、そのリソースに負荷をかけているサーバ群（又は各種装置）の性能指標値を一挙に表示するため、単一のストレージ装置を複数のサーバで共有して利用する構成において、ストレージ装置内のリソースにＩ／Ｏ負荷が集中していることの検出および、負荷をかけているサーバの特定を容易に行うことができる。
【０１１０】
また、複数のストレージ装置又は複数のサーバが各種機器を共有している場合において、関連する機器の性能情報を収集および分析することにより、共有されている機器の性能のボトルネックとなる機器の状態を把握しやすくなる。
【０１１１】
【発明の効果】
本発明によれば、ストレージ装置に負荷をかけている機器の性能値を関連づけて表示するため、ストレージ装置内のリソース上でＩ／Ｏの競合を引き起こしているサーバ群や性能のボトルネックとなっている部分の特定を容易にすることができる。
【図面の簡単な説明】
【図１】本実施形態のＳＡＮシステムの構成を示す図である。
【図２】ストレージ装置のボリューム提供機能と、サーバのボリュームマウント機能について説明した図である。
【図３】性能情報リポジトリの内部構造を説明した図である。
【図４】性能情報収集プログラムと、性能情報分析プログラムの連携方法を説明した図である。
【図５】サーバ性能情報テーブルに格納されるデータ項目を説明した図である。
【図６】サーバ−ストレージマッピングテーブルに格納されるデータ項目を説明した図である。
【図７】ストレージＲＡＩＤグループ性能情報テーブルに格納されるデータ項目を説明した図である。
【図８】ストレージポート性能情報テーブルに格納されるデータ項目を説明した図である。
【図９】ＳＣＳＩインクワイアリレスポンス情報を説明した図である。
【図１０】サーバ性能情報収集プログラムの処理を説明したフローチャートである。
【図１１】ストレージ性能情報収集プログラムの処理を説明したフローチャートである。
【図１２】性能情報分析プログラムの内部構造と、当該プログラムが出力する画面の概略について説明した図である。
【図１３】ストレージ性能情報画面の一実施例を説明した図である。
【図１４】関連サーバ性能情報画面の一実施例を説明した図である。
【図１５】関連サーバ性能履歴情報画面の一実施例を説明した図である。
【図１６】ストレージ性能情報表示サブプログラムの処理を説明したフローチャートである。
【図１７】関連サーバ性能情報表示サブプログラムの処理を説明したフローチャートである。
【図１８】関連サーバ性能履歴情報表示サブプログラムの処理を説明したフローチャートである。
【符号の説明】
１０１…サーバ性能情報収集プログラム、１０２…ストレージ性能情報収集プログラム、１０３…性能情報リポジトリ、１０４…性能情報分析プログラム、１１０Ａ…サーバＡ、１１０Ｂ…サーバＢ、１１１Ａ…サーバＡ上のボリュームマウント機能、１１２Ａ…サーバＡ上の業務プログラム、１１１Ｂ…サーバＢ上のボリュームマウント機能、１１２Ｂ…サーバＢ上の業務プログラム、１１４…ＨＢＡ、１２０…ストレージ装置Ａ、１２１…ボリューム提供機能、１２３…ポートＡ、１２４…ポートＢ、１３０…管理サーバ、１４０…ＳＡＮ、１５０…ＬＡＮ、１６１…２次記憶装置、１６２…主記憶装置、１６３…通信装置、１６４…ＣＰＵ、１６５…表示装置、１６６…キーボード、１６７…マウス、１６８…オペレーティングシステム、２１０Ａ…ボリュームＡ、２１０Ｂ…ボリュームＢ、２１０Ｃ…ボリュームＣ、２２０Ａ…論理ボリュームＡ、２２０Ｂ…論理ボリュームＢ、２２０Ｃ…論理ボリュームＣ、２２０Ｄ…論理ボリュームＤ、２２０Ｅ…論理ボリュームＥ、２２０Ｆ…論理ボリュームＦ、２２０Ｇ…論理ボリュームＧ、２２０Ｈ…論理ボリュームＨ、２３０Ａ…ＲＡＩＤグループＡ、２３０Ｂ…ＲＡＩＤグループＢ、２４０Ａ…物理ディスクＡ、２４０Ｂ…物理ディスクＢ、２４０Ｃ…物理ディスクＣ、２４０Ｄ…物理ディスクＤ、２４０Ｅ…物理ディスクＥ、２４０Ｆ…物理ディスクＦ、２４０Ｇ…物理ディスクＧ、２４０Ｈ…物理ディスクＨ、３１０…サーバ性能情報テーブル、３２０…サーバ−ストレージマッピングテーブル、３３０…ストレージＲＡＩＤグループ性能情報テーブル、３４０ストレージポート性能情報テーブル、５１１…サーバカラム、５１２…ボリュームカラム、５１３…ＩＯＰＳ（ＩＯ  ｐｅｒ  Ｓｅｃｏｎｄ）カラム、５１４…Ｒｅａｄ  ＩＯＰＳ（ＩＯ  ｐｅｒ  Ｓｅｃｏｎｄ）カラム、５１５…Ｗｒｉｔｅ  ＩＯＰＳ（ＩＯ  ｐｅｒ  Ｓｅｃｏｎｄ）  カラム、５１６…Ｘｆｅｒ（Ｔｒａｎｓｆｅｒ）  カラム、５１７…Ｒｅａｄ  Ｘｆｅｒ（Ｔｒａｎｓｆｅｒ）カラム、５１８…Ｗｒｉｔｅ  Ｘｆｅｒ（Ｔｒａｎｓｆｅｒ）カラム、５１９…ＴＳカラム、６１１…サーバカラム、６１２…ボリュームカラム、６１３…ストレージカラム、６１４…ポートカラム、６１５…論理ボリュームカラム、６１６…ＲＡＩＤグループカラム、７１１…ストレージカラム、７１２…ＲＡＩＤグループカラム、７１３…ＩＯＰＳ（ＩＯ  ｐｅｒ  Ｓｅｃｏｎｄ）カラム、７１４…Ｒｅａｄ  ＩＯＰＳ（ＩＯ  ｐｅｒ  Ｓｅｃｏｎｄ）カラム、７１５…Ｗｒｉｔｅ  ＩＯＰＳ（ＩＯ  ｐｅｒ  Ｓｅｃｏｎｄ）  カラム、７１６…Ｘｆｅｒ（Ｔｒａｎｓｆｅｒ）  カラム、７１７…Ｒｅａｄ  Ｘｆｅｒ（Ｔｒａｎｓｆｅｒ）カラム、７１８…Ｗｒｉｔｅ  Ｘｆｅｒ（Ｔｒａｎｓｆｅｒ）カラム、７１９…ＴＳカラム、８１１…ストレージカラム、８１２…ポートカラム、８１３…ＩＯＰＳ（ＩＯ  ｐｅｒ  Ｓｅｃｏｎｄ）カラム、８１４…Ｍａｘ  ＩＯＰＳ（ＩＯ  ｐｅｒ  Ｓｅｃｏｎｄ）カラム、８１５…Ｍｉｎ  ＩＯＰＳ（ＩＯ  ｐｅｒ  Ｓｅｃｏｎｄ）  カラム、８１６…Ｘｆｅｒ（Ｔｒａｎｓｆｅｒ）  カラム、８１７…Ｍａｘ  Ｘｆｅｒ（Ｔｒａｎｓｆｅｒ）カラム、８１８…Ｍｉｎ  Ｘｆｅｒ（Ｔｒａｎｓｆｅｒ）カラム、８１９…ＴＳカラム、９１０…ＳＣＳＩインクワイアリ情報、９１１…接続先ストレージカラム、９１２…接続先ポートカラム、９１３…接続先論理ボリュームカラム、９１４…接続先ＲＡＩＤグループカラム、１２０１…ストレージ性能情報表示サブプログラム、１２０２…関連サーバ性能情報表示サブプログラム、１２０３…関連サーバ性能履歴情報表示サブプログラム、１２１０…ストレージ性能情報画面、１２２０…関連サーバ性能情報画面、１２３０…関連サーバ性能履歴情報画面、１３１０…ストレージオブジェクト選択領域、１３１１…ストレージ装置Ａノード、１３１２…ＲＡＩＤグループＡノード、１３１３…ＲＡＩＤグループＢノード、１３１４…ポートＡノード、１３１５…ポートＢノード、１３２０…性能表示日時入力領域、１３３０…選択オブジェクト性能情報表示領域、１３３１…ＩＯＰＳ（ＩＯ  ｐｅｒ  Ｓｅｃｏｎｄ）カラム、１３３２…Ｒｅａｄ  ＩＯＰＳ（ＩＯ  ｐｅｒ  Ｓｅｃｏｎｄ）カラム、１３３３…Ｗｒｉｔｅ  ＩＯＰＳ（ＩＯ  ｐｅｒ  Ｓｅｃｏｎｄ）カラム、１３３４…Ｘｆｅｒ（Ｔｒａｎｓｆｅｒ）カラム、１３３５…Ｒｅａｄ  Ｘｆｅｒ（Ｔｒａｎｓｆｅｒ）カラム、１３３６…Ｗｒｉｔｅ  Ｘｆｅｒ（Ｔｒａｎｓｆｅｒ）カラム、１３３７…選択オブジェクト名表示領域、１３４０…関連サーバ性能表示ボタン、１４１０…関連サーバ性能情報表示領域、１４２１…サーバカラム、１４２２…ボリュームカラム、１４２３…ＩＯＰＳ（ＩＯ  ｐｅｒ  Ｓｅｃｏｎｄ）カラム、１４２４…Ｗｒｉｔｅ  ＩＯＰＳ（ＩＯ  ｐｅｒ  Ｓｅｃｏｎｄ）カラム、１４２５…Ｒｅａｄ  ＩＯＰＳ（ＩＯ  ｐｅｒ  Ｓｅｃｏｎｄ）カラム、１４２６…Ｘｆｅｒ（Ｔｒａｎｓｆｅｒ）カラム、１４２７…Ｒｅａｄ  Ｘｆｅｒ（Ｔｒａｎｓｆｅｒ）カラム、１４２８…Ｗｒｉｔｅ  Ｘｆｅｒ（Ｔｒａｎｓｆｅｒ）カラム、１４２０…履歴情報表示ボタン、１５１０…関連サーバ性能履歴情報表示領域
【図１】
2005062941.tif 000003
【図２】
2005062941.tif 000004
【図３】
2005062941.tif 000005
【図４】
2005062941.tif 000006
【図５】
2005062941.tif 000007
【図６】
2005062941.tif 000008
【図７】
2005062941.tif 000009
【図８】
2005062941.tif 000010
【図９】
2005062941.tif 000011
【図１０】
2005062941.tif 000012
【図１１】
2005062941.tif 000013
【図１２】
2005062941.tif 000014
【図１３】
2005062941.tif 000015
【図１４】
2005062941.tif 000016
【図１５】
2005062941.tif 000017
【図１６】
2005062941.tif 000018
【図１７】
2005062941.tif 000019
【図１８】
2005062941.tif 000020